(57)【要約】【課題】温度と湿度とを同時に考慮し光源の発光色を制御して快適性を維持又は向上させることができる光源制御装置及び照明装置を提供する。【解決手段】快適評価値算出部１３は、検出された温度及び湿度から、不快指数ＤＩを算出する。快適度判定部１４は、快適評価値算出部１３で算出した不快指数ＤＩと予め定められた快適基準指数ＲＩ１、ＲＩ２とから、快適状態との差異を示す快適差ｄを算出する。色温度設定部１５は、快適差ｄに基づいて、現在の光色ＣＴ０からの色温度差分値ΔＣＴ又は目標色温度ＣＴを設定する。光量制御部１８は、色温度設定部１５で設定された色温度差分値ΔＣＴ又は目標色温度ＣＴに基づいて、光源２１〜２３の個々の光量を制御する。これにより、光源２１〜２３全体としての色温度を制御することができる。【選択図】図１
2009230907.tif 000002
【特許請求の範囲】
【請求項１】
光源の光色を制御する制御部を備える光源制御装置において、
温度及び湿度から光色を設定する光色設定手段を備え、
前記制御部は、
前記光色設定手段で設定した光色にて前記光源を制御することを特徴とする光源制御装置。
【請求項２】
温度及び湿度についての情報を取得する取得手段を備えることを特徴とする請求項１に記載の光源制御装置。
【請求項３】
温度及び湿度についての情報に基づいて快適度に関連する評価値を算出する評価値算出手段を備え、
前記光色設定手段は、
前記評価値算出手段で算出した評価値によって、光色を設定するように構成してあることを特徴とする請求項１又は請求項２のいずれかに記載の光源制御装置。
【請求項４】
温度及び湿度についての情報に基づいて快適度に関連する評価値を算出する評価値算出手段と、
該評価値算出手段で算出した評価値と予め定めた閾値との差分を算出する差分算出手段と
を備え、
前記光色設定手段は、
前記差分算出手段で算出した差分に応じて光色を設定するように構成してあることを特徴とする請求項１又は請求項２のいずれかに記載の光源制御装置。
【請求項５】
光色を設定するための操作を受け付ける受付手段と、
該受付手段で受け付けた操作により基準色温度を設定する基準色温度設定手段と
を備え、
前記光色設定手段は、
前記基準色温度設定手段で設定した基準色温度から前記差分算出手段で算出した差分に応じた量だけ変動させた色温度を設定するように構成してあることを特徴とする請求項４に記載の光源制御装置。
【請求項６】
前記受付手段での操作により設定された基準色温度の色度図上の黒体放射軌跡からの変位量を算出する変位量算出手段を備え、
前記光色設定手段は、
前記黒体放射軌跡から前記変位量に応じた量だけ変動させた色温度に設定するように構成してあることを特徴とする請求項５に記載の光源制御装置。
【請求項７】
前記光色設定手段は、
前記評価値が第１閾値よりも大きい場合、色温度を上げる又は色を寒色系の色に近づけるように構成してあることを特徴とする請求項３から請求項６までのいずれか一項に記載の光源制御装置。
【請求項８】
前記光色設定手段は、
前記評価値が第２閾値よりも小さい場合、色温度を下げる又は色を暖色系の色に近づけるように構成してあることを特徴とする請求項３から請求項７までのいずれか一項に記載の光源制御装置。
【請求項９】
前記光色設定手段は、
前記評価値が前記第１閾値よりも小さく、該第１閾値より小さい前記第２閾値よりも大きい場合、光色を維持するように構成してあることを特徴とする請求項３から請求項８までのいずれか一項に記載の光源制御装置。
【請求項１０】
光源と、請求項１から請求項９までのいずれか一項に記載の光源制御装置とを備えることを特徴とする照明装置。
【発明の詳細な説明】
【技術分野】
【０００１】
本発明は、温度及び湿度に基づいて光源を制御する光源制御装置及び該光源制御装置を備える照明装置に関する。
【背景技術】
【０００２】
従来、ＬＥＤなどの光源が発する光色に応じて人が感じる暑さ又は寒さが変化することが知られている。例えば、照明光の色温度が高くなるほど青っぽい色となり、人は涼しい感じを受け、照明光の色温度が低くなるほど赤みがかった色となり、人は温かな感じを受ける。
【０００３】
照明光の光色に応じて視覚を通じて感じる温度が変化することを利用して、例えば、暖色系の発光色の発光ダイオードと寒色系の発光色の発光ダイオードとを有する光源と、この光源の照明光の態様を制御するコントローラとを備え、空調機が暖房モードの時に照明光を暖色系の色とし、空調機が冷房モードの時に照明光を寒色系の色とし、さらに空調機の作動状態の変化や室温の変化に連動して照明光の態様を変化させる車両用照明システムがある（特許文献１参照）。
【特許文献１】特開２００４−２３７８９１号公報
【発明の開示】
【発明が解決しようとする課題】
【０００４】
しかしながら、特許文献１のシステムにあっては、室内の温度のみを検出して照明光の態様を変化させているものの、人が感じる快適性は、温度だけでなく湿度によっても大きく変化する。特許文献１のシステムでは、湿度に関する配慮がなされていないため、人が感じる快適性を効果的に向上させることが困難であった。また、光源が発する色は、人によって好みが異なるため、室温や空調機の作動状態だけで一律に決定した場合、人によっては却って違和感や不快感を覚え、快適性を著しく損なうおそれがあった。
【０００５】
本発明は斯かる事情に鑑みてなされたものであり、温度と湿度とを同時に考慮し光源の光色を制御して快適性を維持又は向上させることができる光源制御装置及び該光源制御装置を備える照明装置を提供することを目的とする。
【課題を解決するための手段】
【０００６】
本発明に係る光源制御装置は、光源の光色を制御する制御部を備える光源制御装置において、温度及び湿度から光色を設定する光色設定手段を備え、前記制御部は、前記光色設定手段で設定した光色にて前記光源を制御することを特徴とする。
【０００７】
本発明に係る光源制御装置は、温度及び湿度についての情報を取得する取得手段を備えることを特徴とする。
【０００８】
本発明に係る光源制御装置は、温度及び湿度についての情報に基づいて快適度に関連する評価値を算出する評価値算出手段を備え、前記光色設定手段は、前記評価値算出手段で算出した評価値によって、光色を設定するように構成してあることを特徴とする。
【０００９】
本発明に係る光源制御装置は、温度及び湿度についての情報に基づいて快適度に関連する評価値を算出する評価値算出手段と、該評価値算出手段で算出した評価値と予め定めた閾値との差分を算出する差分算出手段とを備え、前記光色設定手段は、前記差分算出手段で算出した差分に応じて光色を設定するように構成してあることを特徴とする。
【００１０】
本発明に係る光源制御装置は、光色を設定するための操作を受け付ける受付手段と、該受付手段で受け付けた操作により基準色温度を設定する基準色温度設定手段とを備え、前記光色設定手段は、前記基準色温度設定手段で設定した基準色温度から前記差分算出手段で算出した差分に応じた量だけ変動させた色温度を設定するように構成してあることを特徴とする。
【００１１】
本発明に係る光源制御装置は、前記受付手段での操作により設定された基準色温度の色度図上の黒体放射軌跡からの変位量を算出する変位量算出手段を備え、前記光色設定手段は、前記黒体放射軌跡から前記変位量に応じた量だけ変動させた色温度に設定するように構成してあることを特徴とする。
【００１２】
本発明に係る光源制御装置は、前記光色設定手段は、前記評価値が第１閾値よりも大きい場合、色温度を上げる又は色を寒色系の色に近づけるように構成してあることを特徴とする。
【００１３】
本発明に係る光源制御装置は、前記光色設定手段は、前記評価値が第２閾値よりも小さい場合、色温度を下げる又は色を暖色系の色に近づけるように構成してあることを特徴とする。
【００１４】
本発明に係る光源制御装置は、前記光色設定手段は、前記評価値が前記第１閾値よりも小さく、該第１閾値より小さい前記第２閾値よりも大きい場合、光色を維持するように構成してあることを特徴とする。
【００１５】
本発明に係る照明装置は、光源と、前述のいずれか１つの発明に係る光源制御装置とを備えることを特徴とする。
【００１６】
本発明にあっては、光源制御装置は、温度及び湿度から光色を設定し、設定した光色にて光源を制御する。例えば、温度及び湿度により、人が暑さを感じる（不快感がある）場合には、光色を設定し、体感温度を下げるべく色温度を上げ、あるいは、色を寒色系の色に近づける。また、人が寒さを感じる（不快感がある）場合には、光色を設定し、体感温度を上げるべく色温度を下げ、あるいは、暖色系の色に近づける。また、人が暑さも寒さも感じない（不快感がない）場合には、光色を維持する。これにより、周囲の温度のみならず湿度も考慮して体感温度を調整することができ、快適性を維持及び向上することができる。なお、本発明において、色温度とは、黒体放射軌跡上の色温度と等色温度線上の相関色温度とを含むものとする。
【００１７】
また、本発明にあっては、温度及び湿度についての情報を取得する。取得した温度及び湿度についての情報により、光色を設定することができる。
【００１８】
また、本発明にあっては、光源制御装置は、温度及び湿度についての情報に基づいて快適度に関連する評価値を算出する。評価値は、例えば、温度及び湿度の関数として計算される不快指数を用いることができる。これにより、周囲の温度と湿度とを同時に考慮することができる。光源制御装置は、算出した評価値により光色を設定する。例えば、評価値として不快指数を用いる場合、不快指数が所定の閾値より大きく、人が暑さを感じる（不快感がある）場合には、光色を設定し、色温度を上げ、あるいは、色を寒色系の色に近づける。これにより、体感温度を下げる。また、不快指数が所定の閾値より小さく、人が寒さを感じる（不快感がある）場合には、光色を設定し、色温度を下げ、あるいは、暖色系の色に近づける。これにより、周囲の温度と湿度とを同時に考慮して体感温度を調整することができ、快適性を一層向上することができる。
【００１９】
また、本発明にあっては、光源制御装置は、温度及び湿度についての情報に基づいて快適度に関連する評価値を算出する。評価値は、例えば、温度及び湿度の関数として計算される不快指数を用いることができる。これにより、周囲の温度と湿度とを同時に考慮することができる。光源制御装置は、算出した評価値と予め定めた閾値との差分を算出し、算出した差分に応じて光色を設定する。例えば、評価値として不快指数を用いる場合、不快指数が所定の閾値より大きく、人が暑さを感じる（不快感がある）場合には、不快指数と閾値との差分に応じて光色を設定し、色温度を上げ、あるいは、色を寒色系の色に近づける。これにより、体感温度を下げる。また、不快指数が所定の閾値より小さく、人が寒さを感じる（不快感がある）場合には、閾値と不快指数との差分に応じて光色を設定し、色温度を下げ、あるいは、暖色系の色に近づける。これにより、体感温度を上げる。これにより、周囲の温度と湿度とを同時に考慮して体感温度を調整することができ、快適性を一層向上することができる。
【００２０】
また、本発明にあっては、光源制御装置は、光色を設定するための操作を受け付け、受け付けた操作により基準色温度を設定する。基準色温度は、例えば、利用者の好みの光色に応じて設定される。光源制御装置は、利用者の操作により基準色温度が設定された場合、設定された基準色温度から、算出した差分に応じた量だけ変動させた色温度を設定する。これにより、利用者の好みの光色を基準としつつ、不快指数に応じた色温度を設定することができ、人によっては却って違和感や不快感を覚え快適性を著しく損なうという事態を防止することができる。
【００２１】
また、本発明にあっては、光源制御装置は、利用者の操作により設定された基準色温度の色度図上の黒体放射軌跡からの変位量を算出する。利用者が設定する光色は、利用者の好みにより異なるため、必ずしも色度図上の黒体放射軌跡上にあるとは限らず、相関色温度が等しい点の軌跡である等色温度線上の場合もある。利用者が設定した光色の等色温度線上の点からその等色温度線と黒体放射軌跡との交点までの色度図座標上の距離を変位量として算出する。光源制御装置は、設定された基準色温度から、算出した差分に応じた量だけ変動させた色温度を設定する場合、算出した変位量に応じた量だけ変動させた色温度に設定する。すなわち、黒体放射軌跡からの変位量を変更後の色温度に対しても適用する。これにより、利用者が設定した光色の傾向（例えば、やや緑寄りの色、やや紫寄りの色など）を反映した光色に設定することができ、快適性を向上させつつ利用者の好みに合った光色を維持することができる。
【００２２】
また、本発明にあっては、光源制御装置は、算出した評価値（例えば、不快指数）が第１閾値よりも大きい場合、色温度を上げ、あるいは、色を寒色系の色に近づける。第１閾値は、適宜設定することができ、例えば、人が不快感又は暑さを感じることがない不快指数の上限値（例えば、７０）とすることができる。これにより、人が不快感又は暑さを感じる場合に、色温度を上げ又は色を寒色系の色に近づけて体感温度を下げることができ、快適性を向上させることができる。
【００２３】
また、本発明にあっては、光源制御装置は、算出した評価値（例えば、不快指数）が第２閾値よりも小さい場合、色温度を下げ、あるいは、暖色系の色に近づける。第２閾値は、適宜設定することができ、例えば、人が不快感又は肌寒さを感じることがない不快指数の下限値（例えば、６０）とすることができる。これにより、人が不快感又は肌寒さを感じる場合に、色温度を下げ又は色を暖色系の色に近づけて体感温度を上げることができ、快適性を向上させることができる。
【００２４】
また、本発明にあっては、光源制御装置は、算出した評価値（例えば、不快指数）が第１閾値よりも小さく、かつ第２閾値よりも大きい場合、光色を維持する。これにより、人が不快感、暑さ又は肌寒さを感じない場合に、色温度を維持して快適性を維持させることができる。
【００２５】
また、本発明にあっては、上述の光源制御装置を備える照明装置を提供することができる。
【発明の効果】
【００２６】
本発明にあっては、周囲の温度のみならず湿度も考慮して光源の光色を制御し、視覚を通じて感じる温度を調整することができ、快適性を維持又は向上させることができる。
【発明を実施するための最良の形態】
【００２７】
以下、本発明をその実施の形態を示す図面に基づいて説明する。図１は本発明に係る光源制御装置１０の構成の一例を示すブロック図である。光源制御装置１０には、発光色の異なる複数の光源、例えば、発光色が赤色のＬＥＤの光源２１、緑色のＬＥＤの光源２２、青色のＬＥＤの光源２３を接続してあり、全体として照明装置を構成している。当該照明装置は、光源２１〜２３により、白色又は白色に近い光を照明することが可能である。また、光源２１〜２３を制御することにより、白色以外の複数色で照明することも可能である。
【００２８】
なお、前記ＬＥＤの光源２１〜２３は、それぞれが複数個の同一色のＬＥＤから構成されていてもよい。また、光源として、蛍光灯、白熱灯、高圧放電灯などの他の光源又はこれらの光源にカラーフィルタを設けた光源であってもよい。さらに、光源として、複数の発光色の光源をパッケージした光源でもよい。
【００２９】
光源制御装置１０は、温度センサ１１、湿度センサ１２、快適評価値算出部１３、快適度判定部１４、色温度設定部１５、操作部１６、基準色温度設定部１７、光量制御部１８などを備えている。
【００３０】
温度センサ１１は、照明装置が設置された周辺の雰囲気（室内又は室外）の温度を検出する。湿度センサ１２は、照明装置が設置された周辺の雰囲気（室内又は室外）の湿度を検出する。
【００３１】
快適評価値算出部１３は、検出された温度及び湿度から、雰囲気の快適度を表わす評価値（体感温度に関連する評価値であり、例えば、不快指数ＤＩ）を算出する。温度センサ１１及び湿度センサ１２は、光源制御装置１０内部にあってもよいが、光源制御装置１０とは分離して設けられていてもよい。特に、使用者の快適度を維持又は向上させるため、使用者近辺の温度及び湿度を検出できるような位置に、温度センサ１１及び湿度センサ１２は設けられていてもよい。
【００３２】
快適度判定部１４は、快適評価値算出部１３で算出した評価値と予め定められた快適基準指数ＲＩ１、ＲＩ２（所定の閾値）とから、快適状態との差異を示す快適差ｄ（快適状態からの乖離の程度を示す数値）を算出する。ここで、快適基準指数ＲＩ１、ＲＩ２は、評価値として不快指数ＤＩを用いる場合、例えば、ＲＩ１＝７０、ＲＩ２＝６０とすることができる。すなわち、不快指数ＤＩがＲＩ１（＝７０）を超えた場合、人は不快感又は暑さを感じ、また、不快指数ＤＩがＲＩ２（＝６０）を下回った場合、人は不快感又は肌寒さを感じる。また、不快指数ＤＩがＲＩ１とＲＩ２の間にある場合、人は快適な状態にあるといえる。
【００３３】
色温度設定部１５は、快適度判定部１４で算出された快適差ｄに基づいて、現在の光色（例えば、後述の基準色温度ＣＴ０）からの色温度差分値ΔＣＴ又は目標色温度ＣＴを設定する。なお、本明細書において、光色とは、色温度及び色を含む概念であって、本実施の形態においては色温度を制御する。
【００３４】
操作部１６は、光源２１〜２３全体の照明光を利用者の好みの光色に調整するための操作を受け付ける。
【００３５】
基準色温度設定部１７は、操作部１６で受け付けた操作に応じて基準色温度ＣＴ０を設定する。基準色温度ＣＴ０は、利用者の好みに応じた色温度である。なお、基準色温度ＣＴ０が利用者により設定される前は、所定の基準色温度ＣＴ０を初期値として用いることができる。
【００３６】
光量制御部１８は、色温度設定部１５で設定された色温度差分値ΔＣＴ又は目標色温度ＣＴに基づいて、光源２１〜２３の個々の光量を制御する。これにより、光源２１〜２３全体としての色温度を制御することが可能となる。
【００３７】
雰囲気の快適度を表わす評価値しての不快指数ＤＩは、式（１）により算出することができる。ここで、Ｔは気温（℃）、Ｈは相対湿度（％）である。なお、式（１）に代えて、式（２）又は式（３）を用いることもできる。ここで、Ｔｄは乾球温度（℃）、Ｔｗは湿球温度（℃）であり、Ｔｄｐは露点温度（℃）である。
【００３８】
【数１】
2009230907.tif 000003
【００３９】
なお、快適度を表わす評価値は、これらの式で表されるものに限定されるものではなく、温度と湿度とを同時に反映することができる指標であれば、他の式を用いてもよい。また、快適度に関連する評価値として、上記の不快指数ＤＩのような温度と湿度のみから求められる評価値に限定されず、温度と湿度以外の情報も含んだ情報から求められる評価値でもよい。
【００４０】
図２は不快指数ＤＩと体感の関係を示す説明図である。図２に示すように、不快指数ＤＩが快適基準指数ＲＩ１（＝７０）を超えた場合、人は不快感又は暑さを感じ、また、不快指数ＤＩが快適基準指数ＲＩ２（＝６０）を下回った場合、人は不快感又は肌寒さを感じる。また、不快指数ＤＩがＲＩ１とＲＩ２の間にある場合、人は快適な状態にあるといえる。
【００４１】
図３は色温度設定部１５による色温度差分値ΔＣＴの設定の一例を示す説明図である。図３に示すように、不快指数ＤＩが５５より小さい場合、すなわち、不快指数ＤＩと快適基準指数ＲＩ２との差である快適差ｄの絶対値が５より大きい場合、人は寒さを感じるため、現在の色温度（基準色温度）ＣＴ０から、６００（色温度差分値ΔＣＴ）だけ小さくした目標色温度を設定することにより、照明光にやや赤みを加え、視覚を通じて感じる温度を上げる。
【００４２】
また、不快指数ＤＩが５５以上であって６０より小さい場合、すなわち、不快指数ＤＩと快適基準指数ＲＩ２との差である快適差ｄの絶対値が５より小さい場合、人は肌寒さを感じるため、現在の色温度（基準色温度）ＣＴ０から、４００（色温度差分値ΔＣＴ）だけ小さくした目標色温度を設定することにより、照明光にやや赤みを加え、視覚を通じて感じる温度を少し上げる。
【００４３】
また、不快指数ＤＩが６０以上であって７０より小さい場合、すなわち、不快指数ＤＩが快適基準指数ＲＩ２と快適基準指数ＲＩ１との間にある場合、人は快適状態にあるため、現在の色温度（基準色温度）ＣＴ０に対して変更を行わない。
【００４４】
また、不快指数ＤＩが７０以上であって７５より小さい場合、すなわち、不快指数ＤＩと快適基準指数ＲＩ１との差である快適差ｄの絶対値が５より小さい場合、人は多少の不快感を感じる場合があるため、現在の色温度（基準色温度）ＣＴ０から、５００（色温度差分値ΔＣＴ）だけ大きくした目標色温度を設定することにより、照明光にやや青みを加え、視覚を通じて感じる温度を少し下げる。
【００４５】
また、不快指数ＤＩが７５以上であって８０より小さい場合、すなわち、不快指数ＤＩと快適基準指数ＲＩ１との差である快適差ｄの絶対値が５より大きく、かつ１０より小さい場合、不快感又は多少の暑さを感じる人がいるため、現在の色温度（基準色温度）ＣＴ０から、１０００（色温度差分値ΔＣＴ）だけ大きくした目標色温度を設定することにより、照明光にやや青みを加え、視覚を通じて感じる温度を下げる。
【００４６】
また、不快指数ＤＩが８０以上である場合、すなわち、不快指数ＤＩと快適基準指数ＲＩ１との差である快適差ｄの絶対値が１０より大きい場合、不快感又はかなりの暑さを感じる人がいるため、現在の色温度（基準色温度）ＣＴ０から、１５００（色温度差分値ΔＣＴ）だけ大きくした目標色温度を設定することにより、照明光にやや青みを加え、視覚を通じて感じる温度をさらに下げる。
【００４７】
これにより、周囲の温度と湿度とを同時に考慮した快適度を表わす評価値（例えば、不快指数ＤＩ）を用いて光源の光色を制御することにより、視覚を通じて感じる温度を調整することができ、快適性を一層向上することができる。また、人が不快感又は暑さを感じる場合に、色温度を上げて視覚を通じて感じる温度を下げることができ、快適性を向上させることができる。また、人が不快感又は肌寒さを感じる場合に、色温度を下げて視覚を通じて感じる温度を上げることができ、快適性を向上させることができる。さらに、人が不快感、暑さ又は肌寒さを感じない場合に、色温度を維持して快適性を維持させることができる。
【００４８】
特に温度のみを考慮して色温度を変更する場合には、湿度が考慮されていないため、必ずしも設定後の色温度で快適性を確保できるとは限らない。本発明では、かかる問題を解決することができる。また、仮に、湿度を考慮して色温度を補正するような構成があったとしても、温度と湿度とを同時に考慮した快適度を表わす指標値を用いない場合、温度により色温度を設定し、一旦快適な状態を確保できたとしても、湿度による一律の補正を加えたときには、一旦確保できた快適な状態から再度不快な状態に陥るという可能性がある。この点、本発明にあっては、温度と湿度とを同時に考慮するので、そのような問題も解決することができる。
【００４９】
図４は温度及び湿度に対する色温度の設定方法の概念を示す説明図である。図４において、横軸は温度（又は体感温度）、縦軸は不快指数ＤＩである。不快指数ＤＩが６０（基準快適指数ＲＩ２）〜７０（基準快適指数ＲＩ１）の範囲は、人が快適であると感じる範囲である。不快指数ＤＩが７０を超える場合には、図中左向きの矢印が示すように、体感温度を下げる方向に色温度を設定する。この場合において、湿度が高いときは、湿度が低いときに比べて、より低い温度になるように色温度を設定する。また、不快指数ＤＩが６０を下回る場合には、図中右向きの矢印が示すように、体感温度を上げる方向に色温度を設定する。この場合において、湿度が低いときは、湿度が高いときに比べて、より高い温度になるように色温度を設定する。このように、温度と湿度とを同時に考慮して色温度を設定するため、図中において破線で示す快適な状態にある場合には、色温度を維持して不快な状態に陥ることを防止することができる。
【００５０】
次に目標色温度ＣＴの設定例について説明する。現在の色温度（又は基準色温度）をＣＴ０、快適差をｄ、色温度変更係数をα（例えば、４０〜５０）とすると、快適差ｄ（ｄ＝ＤＩ−ＲＩ１、又はｄ＝ＤＩ−ＲＩ２）がｄ＜０の場合、目標色温度は、式（４）で求めることができ、快適差ｄがｄ＞０の場合、目標色温度は、式（５）で求めることができる。
【００５１】
【数２】
2009230907.tif 000004
【００５２】
図５は目標色温度の一例を示す説明図である。図５では、色温度変更係数αを５０として目標色温度ＣＴを算出したものである。色温度が高い場合と低い場合とでは、色温度の変化に対する人の感じ方が異なり、低い色温度ほど変化の差が小さくても、その変化を感じ易いのに対し、高い色温度ほど変化の差が大きくても、その変化を感じにくい。このため、図５に示すように、変更前の色温度が高い場合には、変更量を大きくし、変更前の色温度が低い場合には、変更量を小さくすることにより、色温度（光色）の変化の感じ方を同程度にすることができる。なお、１００万を色温度で除算したものは、ミレッド（ＭＩＲＥＤ）という単位の量として使用される。
【００５３】
図６はＸＹＺ表色系における色度図を示す説明図である。図６に示す色度図は、ｘｙ色度図と称され、可視光で表現できる任意の色をこの色度図上で表わすことができる。色度図上の色は、図中の三角形状の領域内で表現され、その位置の座標（ｘ、ｙ）により色を表現することができる。図中に、代表的な色とその座標（位置）を示している。三角形状の領域外周付近は、いわゆる原色に近く彩度の大きい色であり、領域の中心部に向かって彩度が小さくなり、白色に近づく。
【００５４】
中央付近の破線で囲まれた領域は、一般的に白色とみなされる光の色の範囲を示す。また、中央付近の円弧状の線分は、黒体放射軌跡と称され、仮想の黒体が高温に熱せられた際に放射する光の色の座標値を、その温度順に線で結んだものである。色温度は、この黒体放射軌跡上の色を示すが、本発明では、相関色温度も含むものとする。なお、相関色温度とは、黒体放射軌跡上にはなく、黒体放射軌跡上の色と完全に一致しないが黒体の温度と近似できる色温度を示す。
【００５５】
色温度の低い光は、黄又は赤味を帯びた白色であり、色温度の高い光は、青味を帯びた白色となる。黒体放射軌跡上に位置する白色光に対して、黄色から赤の波長成分を相対的に強めることによって、色温度の低い方向へ変化させることができ（図中Ａ）、青の波長成分を相対的に強めることによって、色温度の高い方向へ変化させることができる（図中Ｂ）。
【００５６】
図７は利用者により設定された基準色温度に基づいて色温度を補正する一例を示す説明図である。図７において、黒体放射軌跡と交わる線分は、各色温度の相関色温度の範囲を示す。利用者により照明光の光色（色温度及び色）に対する好みは異なる。このため、利用者が設定する光色は、必ずしも黒体放射軌跡上にあるとは限らない。図７に示すように、利用者により設定された光色が点Ｐで示される位置（色）にあるとする。この点Ｐの位置は、黒体放射軌跡上の点ではないが、相関色温度が３０００Ｋの線上にあるとする。この場合、基準色温度（現在の色温度）ＣＴ０が３０００Ｋとなる。
【００５７】
また、相関色温度が３０００Ｋの線分が黒体放射軌跡と交わる点をＰ０とする。この場合、利用者の操作により設定された基準色温度の色度図上の黒体放射軌跡からの変位量を算出する。変位量は、点Ｐ０とＰとの色度図上の距離として求めることができる。
【００５８】
温度及び湿度を検出することにより、目標色温度を４２００Ｋと設定した場合、相関色温度が４２００Ｋの線分が黒体放射軌跡と交わる点をＱ０とすると、相関色温度が４２００Ｋの線分上であって、点Ｑ０からの距離が点Ｐ０とＰとの距離に等しい点又はその距離に対応する点Ｑを変更後の光色とする。すなわち、黒体放射軌跡からの変位量を変更後の色温度に対しても適用する。これにより、利用者の好みの光色を基準としつつ、不快指数に応じた色温度を設定することができ、利用者の好みを無視して一律に制御して却って違和感や不快感を与え快適性を著しく損なうという事態を防止することができる。また、利用者が設定した光色の傾向（例えば、やや緑寄りの色、やや紫寄りの色など）を反映した光色に設定することができ、快適性を向上させつつ利用者の好みに合った光色、利用者が選択した色に近い色を維持することができる。なお、点Ｑに代えて、点Ｑ０の色温度に設定してもよい。
【００５９】
次に、変位量の算出方法について説明する。色温度を補正する際には、黒体放射軌跡からの偏差Δｕｖを用いることができる。Δｕｖは、ＣＩＥ  １９６０  ＵＣＳ色度座標における黒体放射軌跡からの偏差を表し、式（６）により求めることができる。ここで、ｕ、ｖは、光源のＣＩＥ  １９６０  ＵＣＳ色度座標であり、ｕ０、ｖ０は、ＣＩＥ  １９６０  ＵＣＳ色度図上で光源の色度座標に最も近い黒体軌跡上の点の座標である。なお、Δｕｖは、光源の色度座標が黒体放射軌跡の上側にある場合には正の値であり、下側にある場合は負の値となる。
【００６０】
【数３】
2009230907.tif 000005
【００６１】
光源色の色度座標ｕ、ｖは、色度座標ｘ、ｙから式（７）及び式（８）により求めることができる。
【００６２】
従って、図７において、点Ｐから点Ｑへ色温度を補正するには、点Ｐに対応する色度座標（ｕ、ｖ）を算出し、点Ｐの色温度３０００Ｋからの偏差Δｕｖを求める。次に、色温度が４２００Ｋの等色温度線上の上記偏差Δｕｖの値に相当する点Ｑに対応する色度座標（ｕ、ｖ）を求める。この場合、等色温度線上という制約により一意的に求めることができる。点Ｑに対応する色度座標（ｕ、ｖ）から逆変換してｘｙ色度図上での点Ｑの色度（ｘ、ｙ）を算出することで、色温度の補正を行うことができる。
【００６３】
次に、光源制御装置１０の動作について説明する。図８は色温度の設定処理の手順を示すフローチャートである。光源制御装置１０（以下、装置という。）は、利用者による光色の設定操作の有無を判定し（Ｓ１１）、操作があった場合（Ｓ１１でＹＥＳ）、操作に応じた基準色温度を設定し（Ｓ１２）、後述のステップＳ１３の処理を行う。
【００６４】
利用者による操作がなかった場合（Ｓ１１でＮＯ）、装置１０は、温度及び湿度を検出し（Ｓ１３）、不快指数ＤＩを算出する（Ｓ１４）。装置１０は、算出した不快指数ＤＩと快適基準指数（ＲＩ１、ＲＩ２）との差である快適差ｄを算出する（Ｓ１５）。
【００６５】
装置１０は、算出した快適差ｄの大小に基づいて、色温度差分値ΔＣＴを算出し（Ｓ１６）、基準色温度（現在の色温度）ＣＴ０に対して色温度差分値ΔＣＴだけ変動させた目標色温度ＣＴを算出する（Ｓ１７）。
【００６６】
装置１０は、算出した目標色温度ＣＴに基づいて、光源２１〜２３の光量を制御し（Ｓ１８）、光源２１〜２３全体の光色を変更して利用者の体感温度を調整する。装置１０は、処理の終了であるか否かを判定し（Ｓ１９）、処理の終了でない場合（Ｓ１９でＮＯ）、ステップＳ１１以降の処理を続ける。処理の終了である場合（Ｓ１９でＹＥＳ）、装置１０は、処理を終了する。
【００６７】
以上説明したように、本発明によれば、周囲の温度のみならず湿度も考慮して光源の光色を制御することにより、視覚を通じて感じる温度を調整することができ、快適性を維持及び向上させることができる。すなわち、利用者の好みの照明色を基準としながら、不快指数に応じた制御を行うことにより、快適な温度及び湿度であるときには照明色は利用者の好みの色に保たれ、利用者にとって最適な環境を維持することができる。一方、不快指数が最適値を外れている場合には、それを緩和する方向に照明色が変化することにより、利用者の快適感を向上することができる。さらに、照明光によって快適感を向上させることにより、例えば、室内の温度調整のために空調機器を使用することを抑制し、あるいは、設定温度を緩和することが期待でき、省エネ効果にも寄与する。
【００６８】
上述の実施の形態において、温度センサ１１、湿度センサ１２、快適評価値算出部１３などを利用者が操作するためのリモコンに組み込んで装置本体から分離する構成とすることもできる。この場合、光源制御装置１０を構成する各部のいずれをリモコンに組み込むかは適宜決定することができる。
【００６９】
上述の実施の形態において、温度及び湿度についての情報の取得手段として、温度センサ１１及び湿度センサ１２を示したが、センサ以外の取得手段でもよい。例えば、テレビ、パーソナルコンピュータ、携帯電話等の情報端末と光源制御装置が有線又は無線で接続されており、前記情報端末に配信されるニュースの天気情報から温度及び湿度についての情報を自動的に取得するような方式でもよい。あるいは、使用者が温度計及び湿度計を見て、手動で光源制御装置に入力できるようにしてもよい。
【００７０】
上述の実施の形態では、温度と湿度とを同時に考慮する指標として不快指数を用いる構成であったが、これに限定されるものではなく、不快指数の逆数など、不快指数を変換した指標を用いることもできる。この場合には、快適基準指数との大小関係などを適宜設定すればよい。
【００７１】
なお、上述の実施の形態において、光源は白色又は白色に近い色を照明光として実現することとしたが、それに限定されるものではない。すなわち、色温度で表現できる範囲外の光色を照明光としてもよい。その場合には、色温度を小さくする代わりに、例えば、赤色の光量を増やして光源の色を暖色系の色に近づけることによって視覚を通じて感じる温度を上げ、色温度を大きくする代わりに、例えば、青色の光量を増やして光源の色を寒色系の色に近づけることによって視覚を通じて感じる温度を下げる。この場合、赤色又は青色の光量のみを制御するか、もしくは赤色又は青色の光量が他の色と比べて相対的に増加するように、各光源の光量を制御することにより、上述の例と同様に、利用者が設定した光色の傾向（例えば、やや緑寄りの色、やや紫寄りの色など）を反映した光色に設定することができ、快適性を向上させつつ利用者の好みに合った光色、利用者が選択した色に近い色を維持することができる。
【図面の簡単な説明】
【００７２】
【図１】本発明に係る光源制御装置の構成の一例を示すブロック図である。
【図２】不快指数と体感の関係を示す説明図である。
【図３】色温度設定部による色温度差分値の設定の一例を示す説明図である。
【図４】温度及び湿度に対する色温度の設定方法の概念を示す説明図である。
【図５】目標色温度の一例を示す説明図である。
【図６】ＸＹＺ表色系における色度図を示す説明図である。
【図７】利用者により設定された基準色温度に基づいて色温度を補正する一例を示す説明図である。
【図８】色温度の設定処理の手順を示すフローチャートである。
【符号の説明】
【００７３】
１０  光源制御装置
１１  温度センサ
１２  湿度センサ
１３  快適評価値算出部
１４  快適度判定部
１５  色温度設定部
１６  操作部
１７  基準色温度設定部
１８  光量制御部
２１、２２、２３  光源
【図１】
2009230907.tif 000006
【図２】
2009230907.tif 000007
【図３】
2009230907.tif 000008
【図４】
2009230907.tif 000009
【図５】
2009230907.tif 000010
【図６】
2009230907.tif 000011
【図７】
2009230907.tif 000012
【図８】
2009230907.tif 000013